(57)【要約】【課題】複数のコンテンツの中でユーザが興味を示すであろうコンテンツを提供可能とする。【解決手段】表示装置１は、ユーザの操作を受け付ける操作入力部１３と、受け付けられた操作に応じたコンテンツを表示する表示部１７と、表示中のコンテンツの表示時間を計測し、計測した表示時間をコンテンツごとに記録する記録部１０１と、コンテンツごとに記録された表示時間をもとに、ユーザの嗜好にかかる統計情報を集計する集計部１０２と、予め記憶されているコンテンツの中から、集計された統計情報が示すユーザの嗜好とマッチするコンテンツを表示部１７に表示させる表示制御部１０３とを備える。【選択図】図２
2012118705.tif 000002
【特許請求の範囲】
【請求項１】
ユーザの操作を受け付ける操作手段と、
受け付けられた前記操作に応じたコンテンツを表示する表示手段と、
表示中の前記コンテンツの表示時間を計測し、この計測した前記表示時間をコンテンツごとに記録する記録手段と、
前記コンテンツごとに記録された表示時間をもとに、ユーザの嗜好にかかる統計情報を集計する集計手段と、
予め記憶されているコンテンツの中から、集計された前記統計情報が示すユーザの嗜好とマッチするコンテンツを前記表示手段に表示させる表示制御手段と、
を備えることを特徴とする表示装置。
【請求項２】
集計された前記統計情報を他の機器に送信する送信手段と、
前記他の機器から統計情報を受信する受信手段と、を更に備え、
前記表示制御手段は、受信された前記統計情報が示すユーザの嗜好とマッチするコンテンツを前記表示手段に表示させること、
を特徴とする請求項１に記載の表示装置。
【請求項３】
前記集計手段は、前記コンテンツが属する属性ごとに、当該属性に属するコンテンツの表示時間を集計し、
前記表示制御手段は、集計された前記属性ごとの表示時間の中で、表示時間の長い属性に属するコンテンツを前記表示手段に表示させること、
を特徴とする請求項１又は２に記載の表示装置。
【請求項４】
前記記録手段は、表示中の前記コンテンツに含まれるタームを、前記コンテンツに関連するタームとして前記表示時間とともに記録し、
前記集計手段は、前記表示時間が記録されたコンテンツに関連するタームごとに、当該タームの表示時間を集計し、
前記表示制御手段は、集計された前記タームごとの表示時間の中で、表示時間の長いタームに関連するコンテンツを前記表示手段に表示させること、
を特徴とする請求項１又は２に記載の表示装置。
【請求項５】
前記表示制御手段は、予め記憶されている広告情報の中から、前記統計情報が示すユーザの嗜好とマッチする広告情報を前記表示手段に表示させること、
を特徴とする請求項１乃至４のいずれか一項に記載の表示装置。
【請求項６】
前記表示制御手段は、予め記憶されている学習問題の中から、前記統計情報が示すユーザの嗜好とマッチする学習問題を前記表示手段に表示させること、
を特徴とする請求項１乃至４のいずれか一項に記載の表示装置。
【請求項７】
前記表示制御手段は、予め記憶されている観光情報の中から、前記統計情報が示すユーザの嗜好とマッチする観光情報を前記表示手段に表示させること、
を特徴とする請求項１乃至４のいずれか一項に記載の表示装置。
【請求項８】
前記表示制御手段は、予め記憶されている記事の中から、前記統計情報が示すユーザの嗜好とマッチする記事のダイジェストを前記表示手段に表示させること、
を特徴とする請求項１乃至４のいずれか一項に記載の表示装置。
【請求項９】
ユーザの操作を受け付ける操作手段、受け付けられた前記操作に応じたコンテンツを表示する表示手段、記録手段、集計手段、表示制御手段を備える表示装置の表示方法であって、
前記記録手段が、表示中の前記コンテンツの表示時間を計測し、この計測した前記表示時間をコンテンツごとに記録するステップと、
前記集計手段が、前記コンテンツごとに記録された表示時間をもとに、ユーザの嗜好にかかる統計情報を集計するステップと、
前記表示制御手段が、予め記憶されているコンテンツの中から、集計された前記統計情報が示すユーザの嗜好とマッチするコンテンツを前記表示手段に表示させるステップと、
を含むことを特徴とする表示方法。
【発明の詳細な説明】
【技術分野】
【０００１】
本発明は、表示装置及び表示方法に関する。
【背景技術】
【０００２】
近年、本、雑誌、新聞、広告等のコンテンツの電子化が進んでおり、これらコンテンツを表示する電子書籍リーダ等の表示装置が知られている。これらコンテンツを表示する表示装置としては、過去に閲覧したコンテンツ中の有益な情報に迅速にたどり着くために、ユーザが読んでいるコンテンツの各ページの表示時間の累計を記録しておき、表示時間の多い順に索引を付けて表示するものが知られている。
【先行技術文献】
【特許文献】
【０００３】
【特許文献１】特開２００２−２６９０９１号公報
【発明の概要】
【発明が解決しようとする課題】
【０００４】
しかしながら、上述した従来の表示装置は、過去に閲覧したコンテンツの中でユーザにとって有益な情報に迅速にたどり着くためのものである。したがって、過去に閲覧したコンテンツ、及び未だ閲覧していないコンテンツを含めた複数のコンテンツの中で、ユーザが興味を示すであろうコンテンツを提供できるものではなかった。
【０００５】
本発明は、上記に鑑みてなされたものであって、複数のコンテンツの中でユーザが興味を示すであろうコンテンツを提供可能とすることを目的とする。
【課題を解決するための手段】
【０００６】
上述した課題を解決し、目的を達成するために、実施形態の表示装置は、ユーザの操作を受け付ける操作手段と、受け付けられた前記操作に応じたコンテンツを表示する表示手段と、表示中の前記コンテンツの表示時間を計測し、この計測した前記表示時間をコンテンツごとに記録する記録手段と、前記コンテンツごとに記録された表示時間をもとに、ユーザの嗜好にかかる統計情報を集計する集計手段と、予め記憶されているコンテンツの中から、集計された前記統計情報が示すユーザの嗜好とマッチするコンテンツを前記表示手段に表示させる表示制御手段と、を備えることを特徴とする。
【０００７】
また、実施形態の表示方法は、ユーザの操作を受け付ける操作手段、受け付けられた前記操作に応じたコンテンツを表示する表示手段、記録手段、集計手段、表示制御手段を備える表示装置の表示方法であって、前記記録手段が、表示中の前記コンテンツの表示時間を計測し、この計測した前記表示時間をコンテンツごとに記録するステップと、前記集計手段が、前記コンテンツごとに記録された表示時間をもとに、ユーザの嗜好にかかる統計情報を集計するステップと、前記表示制御手段が、予め記憶されているコンテンツの中から、集計された前記統計情報が示すユーザの嗜好とマッチするコンテンツを前記表示手段に表示させるステップと、を含むことを特徴とする。
【図面の簡単な説明】
【０００８】
【図１】図１は、システムの構成を示すブロック図である。
【図２】図２は、実施形態にかかる表示装置の構成を示すブロック図である。
【図３】図３は、実施形態にかかる表示装置の動作を示すフローチャートである。
【図４】図４は、ユーザの嗜好とマッチする広告の表示を例示する概念図である。
【図５】図５は、ユーザの嗜好とマッチする学習問題の表示を例示する概念図である。
【図６】図６は、ユーザの嗜好とマッチする記事の表示を例示する概念図である。
【図７】図７は、ユーザの嗜好とマッチする記事のダイジェストの表示を例示する概念図である。
【発明を実施するための形態】
【０００９】
以下に添付図面を参照して、実施形態にかかる表示装置及び表示方法を詳細に説明する。先ず、実施形態にかかる表示装置を有するシステムの概要を説明する。
【００１０】
図１は、システム１００の構成を示すブロック図である。図１に示すように、システム１００は、実施形態にかかる表示装置１、サーバ３を有する構成である。表示装置１及びサーバ３は、インターネットやＬＡＮ（Local  Area  Network）等の通信ネットワーク２により互いに通信可能に接続されている。
【００１１】
表示装置１は、本、雑誌、新聞、広告等の電子化されたコンテンツを表示する端末装置であり、具体的にはＰＣ（Personal  Computer）、ＰＤＡ（Personal  Digital  Assistant）、携帯電話、電子書籍リーダ等であってよい。サーバ３は、通信ネットワーク２を介して通信接続する各種機器（例えば表示装置１など）へ要求に応じた情報の提供や、各種機器からの情報収集を行う。具体的には、サーバ３は、電子化されたコンテンツの配信や、通信ネットワーク２を介して通信接続する表示装置１から収集した統計情報（詳細は後述する）を集計した情報の配信などを行う。
【００１２】
図２は、実施形態にかかる表示装置１の構成を示すブロック図である。図２に示すように、表示装置１は、ＣＰＵ１０（Central  Processing  Unit）、ＲＯＭ１１（Read  Only  Memory）、ＲＡＭ１２（Random  Access  Memory）、操作入力部１３、タッチパネル１４、操作ボタン１５、表示出力部１６、表示部１７、記憶部１８、送受信部１９を備え、各部がバス２０により接続される構成である。
【００１３】
ＣＰＵ１０は、ＲＯＭ１１に記憶されたプログラムをＲＡＭ１２の作業領域に展開して順次実行することで、表示装置１の動作を中央制御する。具体的には、ＣＰＵ１０は、プログラムを実行することで、記録部１０１、集計部１０２、表示制御部１０３としての機能を実現する（詳細は後述する）。ＲＯＭ１１は、ＣＰＵ１０が実行するプログラムなどを記憶する。ＲＡＭ１２は、ＣＰＵ１０がプログラムを実行する際の作業領域を提供する。操作入力部１３は、タッチパネル１４や操作ボタン１５などからユーザの操作入力を受け付ける。操作入力部１３が受け付けたユーザの操作は、操作信号としてＣＰＵ１０へ出力される。
【００１４】
表示出力部１６は、ＣＰＵ１０の制御の下、ＬＣＤ（Liquid  Crystal  Display）等である表示部１７へ表示データを出力する。表示部１７は、表示出力部１６より出力される表示データによる画面表示を行う。したがって、表示装置１では、ＣＰＵ１０の制御の下、電子化されたコンテンツなどが表示部１７の画面に表示されることとなる。例えば、表示部１７は、記憶部１８に記憶されたコンテンツデータ１８１に含まれるコンテンツの中から、操作入力部１３によりユーザから受け付けられた操作に応じて選択されたコンテンツなどを表示する。
【００１５】
記憶部１８は、例えばＨＤＤ（Hard  Disk  Drive）、ＳＳＤ（Solid  State  Drive）、ＤＶＤ（Digital  Versatile  Disc）等の大容量記憶媒体であり、各種情報を読み書き自在に記憶する。具体的には、記憶部１８は、本、雑誌、新聞、広告などのコンテンツが所定のファイル形式で電子化されたコンテンツデータ１８１、コンテンツごとの表示時間が記録された表示時間情報１８２、コンテンツごとの表示時間をもとにユーザの嗜好に関する統計データを集計した統計情報１８３などを記憶する。なお、記憶部１８が記憶するコンテンツデータ１８１や統計情報１８３は、後述する送受信部１９によってサーバ３から取得したデータであってよい。
【００１６】
送受信部１９は、ＣＰＵ１０の制御の下、通信ネットワーク２を介して通信接続するサーバ３などの機器との間で、所定の通信プロトコルを用いたデータの送受信を行う。具体的には、送受信部１９は、ＣＰＵ１０の制御の下、記憶部１８に記憶された統計情報１８３を通信ネットワーク２を介して通信接続するサーバ３へ送信する。これにより、サーバ３では、通信ネットワーク２を介して通信接続する複数の表示装置１より受信した統計情報１８３を集計できる。また、送受信部１９は、ＣＰＵ１０の制御の下、サーバ３が複数の表示装置１より集計した統計情報１８３や、サーバ３が配信するコンテンツデータ１８１などをサーバ３より受信する。これにより、表示装置１では、サーバ３で集計された統計情報１８３を用いたコンテンツの表示（詳細は後述する）を行うことができる。
【００１７】
ここで、ＣＰＵ１０がプログラムを実行することで実現される機能部である、記録部１０１、集計部１０２、表示制御部１０３について説明する。
【００１８】
記録部１０１は、操作入力部１３によりユーザから受け付けられた操作に応じて表示部１７に表示中のコンテンツの表示時間を計測し、その計測した表示時間を、コンテンツを識別する為にユニークに割り当てられたコンテンツＩＤなどと共に表示時間情報１８２に記録する。
【００１９】
例えば、複数ページで構成される新聞の中で、所定のページに含まれる記事（コンテンツ）については、そのコンテンツが含まれるページの表示時間を計測し、計測した表示時間をコンテンツＩＤなどと共に表示時間情報１８２に記録する。なお、同じコンテンツＩＤの表示時間が既に表示時間情報１８２に記録されている場合には、新たに計測した表示時間が加算される。また、一つのページの中に複数のコンテンツが含まれ、その中の一つのコンテンツを拡大して表示する場合には、拡大して表示されるコンテンツの表示時間を計測し、計測した表示時間をコンテンツＩＤなどと共に表示時間情報１８２に記録してもよい。
【００２０】
また、記録部１０１は、表示部１７に表示中のコンテンツに含まれる単語やキーワードなどのタームを、コンテンツに関連するタームとして、コンテンツＩＤなどと共に表示時間情報１８２に記録してもよい。このタームの抽出は、表示中のコンテンツがテキストデータである場合には、テキストデータに含まれるタイトル部分などから抽出して実現される。また、表示中のコンテンツがイメージデータである場合には、ＯＣＲ処理により文字認識されたタイトルなどから抽出して実現される。
【００２１】
集計部１０２は、表示時間情報１８２においてコンテンツごとに記録された表示時間をもとに、ユーザの嗜好にかかる統計情報を集計する。集計部１０２は、集計した統計情報を記憶部１８に統計情報１８３として記録する。この統計情報１８３は、例えばコンテンツが属する属性ごとにその属性に属するコンテンツの表示時間を集計した情報であり、ユーザがどの属性の嗜好が強いかを集計した表示時間の長さで示す。コンテンツには属性を示すメタ情報が付与されており、集計部１０２は、コンテンツに付与されたメタ情報をもとに、属性ごとの表示時間の集計を行う。コンテンツが属する属性は、「政治」、「経済」、「科学」、「健康」、「地域」などのカテゴリや、「地域」の中における「○○海」、「○○山」などのリゾート地を示すサブカテゴリなどであってよい。例えば、「政治」のカテゴリの表示時間が長い場合は、ユーザは「政治」についての嗜好が強いことが判る。
【００２２】
また、集計部１０２は、表示時間情報１８２に記録されたコンテンツに関連するタームごとに、そのタームの表示時間を統計情報１８３として集計してもよい。この場合は、ある共通のタームを含むコンテンツの表示時間が集計されることから、ユーザがどのタームの嗜好が強いかを集計した表示時間から判別することができる。例えば、「為替」というタームを含むコンテンツの表示時間が長い場合は、ユーザは「為替」についての嗜好が強いことが判る。なお、集計部１０２は、辞書データなどをもとに、タームが属する属性ごとの嗜好の強さを集計してもよい。例えば、「為替」、「株価」などのタームを含むコンテンツの表示時間が長い場合は、ユーザは「為替」、「株価」が属する「経済」についての嗜好が強いことが判る。
【００２３】
表示制御部１０３は、記憶部１８に記憶されているコンテンツデータ１８１に含まれるコンテンツの中から、集計部１０２により集計された統計情報１８３が示すユーザの嗜好とマッチするコンテンツを表示部１７に表示させる。これにより、表示装置１では、コンテンツデータ１８１に含まれる複数のコンテンツの中でユーザが興味を示すであろうコンテンツを提供することができる。
【００２４】
具体的には、表示制御部１０３は、集計部１０２より集計された属性ごとの表示時間の中で表示時間の長い属性に属するコンテンツをコンテンツデータ１８１に付与されているメタ情報等をもとに読み出し、ユーザの嗜好とマッチするコンテンツとして表示部１７に表示させる。例えば、「政治」のカテゴリの表示時間が長い場合は、コンテンツデータ１８１に付与されているメタ情報から「政治」のカテゴリに属するコンテンツを読み出して表示部１７に表示させる。なお、該当するコンテンツが複数ある場合は、サブカテゴリまで一致するコンテンツを優先的に表示させる。
【００２５】
また、表示制御部１０３は、集計部１０２より集計されたタームごとの表示時間の中で表示時間の長いタームに関連するコンテンツをコンテンツデータ１８１に付与されているメタ情報等をもとに読み出し、ユーザの嗜好とマッチするコンテンツとして表示部１７に表示させてもよい。例えば、「為替」というタームを含むコンテンツの表示時間が長い場合は、コンテンツデータ１８１に付与されているメタ情報から「為替」というタームを含むコンテンツや、「為替」を含む「経済」のカテゴリに属するコンテンツを読み出して表示部１７に表示させる。なお、該当するコンテンツが複数ある場合は、他のターム（例えば「金利」など）まで一致するコンテンツを優先的に表示させる。
【００２６】
ここで、ＣＰＵ１０の制御の下で実行される表示装置１の動作フローを説明する。図３は、実施形態にかかる表示装置１の動作を示すフローチャートである。
【００２７】
図３に示すように、表示装置１では、タッチパネル１４、操作ボタン１５によるユーザの操作入力を操作入力部１３より受け付ける（Ｓ１）。例えば、Ｓ１では、記憶部１８に記憶されているコンテンツデータ１８１に含まれるコンテンツの一覧などを表示部１７に表示し、表示するコンテンツの選択操作などを操作入力部１３より受け付ける。次いで、表示装置１では、ユーザの操作により表示が指示されたコンテンツを記憶部１８に記憶されたコンテンツデータ１８１より読み出して表示部１７に表示する（Ｓ２）。
【００２８】
次いで、記録部１０１は、表示部１７に表示しているコンテンツの表示時間を計測し、その計測した表示時間を表示中のコンテンツを示すコンテンツＩＤなどと共に記憶部１８の表示時間情報１８２に記録する（Ｓ３）。次いで、集計部１０２は、表示時間情報１８２においてコンテンツごとに記録された表示時間をもとに、ユーザの嗜好にかかる統計情報を集計する（Ｓ４）。集計した統計情報は、記憶部１８に統計情報１８３として記録される。
【００２９】
次いで、表示制御部１０３は、記憶部１８に記憶されているコンテンツデータ１８１に含まれるコンテンツの中から、集計部１０２により集計された統計情報１８３が示すユーザの嗜好とマッチするコンテンツを表示部１７に表示させる（Ｓ５）。なお、Ｓ５が実行されるタイミング、すなわち表示制御部１０３がユーザの嗜好とマッチするコンテンツを表示部１７に表示させるタイミングは、ユーザの嗜好とマッチするコンテンツを表示させるための操作が行われた時点であってもよいし、特にユーザの指示がなくとも表示するインフォメーションウインドウにユーザの嗜好とマッチするコンテンツを表示する時点であってもよい。
【００３０】
以下に、ユーザの嗜好とマッチするコンテンツを表示する形態として、広告、学習問題、観光地に関する記事、記事のダイジェストを表示する場合を例示する。
【００３１】
＜広告を表示する場合＞
図４は、ユーザの嗜好とマッチする広告Ｂ１の表示を例示する概念図である。図４に示すように、表示装置１では、図３に例示したＳ１〜Ｓ３の処理が行われることで、新聞などのページＰ１、Ｐ２より構成される電子書籍における記事Ａ１〜Ａ３の表示時間が表示時間情報１８２に記録される。
【００３２】
ここで、「経済」のカテゴリに属し、「為替」、「株価」などのタームを含む記事Ａ１の表示時間が最も長かったものとする。この場合、表示装置１では、図３に例示したＳ４の処理が行われることで、「経済」などのカテゴリと、「為替」、「株価」などのタームとに関する表示時間が長く、ユーザの嗜好が強いことが判る。
【００３３】
したがって、図３に例示したＳ５の処理が行われることで、図４に示すように、ページＰｎにおいて表示部１７の画面下に表示するコンテンツである広告Ｂ１については、「経済」などのカテゴリと、「為替」、「株価」などのタームとに関連したものがコンテンツデータ１８１より選ばれることとなる。このように、表示装置１では、ユーザの嗜好とマッチする広告Ｂ１を表示することで、広告効果を高めることができる。
【００３４】
＜学習問題を表示する場合＞
図５は、ユーザの嗜好とマッチする学習問題Ｄ１の表示を例示する概念図である。図５に示すように、表示装置１では、図３に例示したＳ１〜Ｓ３の処理が行われることで、学習参考書などの電子書籍における学習単元Ｃ１、Ｃ２等の表示時間が表示時間情報１８２に記録される。
【００３５】
ここで、「数学」のカテゴリに属し、「微分」、「積分」などのタームを含む学習単元Ｃ２の表示時間が最も長かったものとする。この場合、表示装置１では、図３に例示したＳ４の処理が行われることで、「数学」などのカテゴリと、「微分」、「積分」などのタームとに関する表示時間が長く、ユーザの嗜好が強いことが判る。
【００３６】
したがって、図３に例示したＳ５の処理が行われることで、図５に示すように、ユーザの操作に応じて表示部１７に表示する学習問題Ｄ１については、「数学」などのカテゴリと、「微分」、「積分」などのタームとに関連したものがコンテンツデータ１８１より選ばれることとなる。このように、表示装置１では、十分な学習が必要なために表示時間が長くなった学習単元Ｃ２に関連した学習問題Ｄ１を表示することで、学習効果を高めることができる。
【００３７】
＜観光地に関する記事を表示する場合＞
図６は、ユーザの嗜好とマッチする記事Ｆ１の表示を例示する概念図である。図６に示すように、表示装置１では、図３に例示したＳ１〜Ｓ３の処理が行われることで、旅行ガイドなどの電子書籍における記事Ｅ１、Ｅ２等の表示時間が表示時間情報１８２に記録される。
【００３８】
ここで、「山」のカテゴリに属し、「○○山」、「××高原」などのタームを含む記事Ｅ２の表示時間が最も長かったものとする。この場合、表示装置１では、図３に例示したＳ４の処理が行われることで、「山」などのカテゴリと、「○○山」、「××高原」などのタームとに関する表示時間が長く、ユーザの嗜好が強いことが判る。
【００３９】
したがって、図３に例示したＳ５の処理が行われることで、図６に示すように、表示部１７に表示するユーザの嗜好とマッチするコンテンツである記事Ｆ１については、「山」などのカテゴリと、「○○山」、「××高原」などのタームとに関連した観光地に関する記事（観光情報）がコンテンツデータ１８１より選ばれることとなる。このように、表示装置１では、ユーザの嗜好とマッチする記事Ｆ１を表示することで、ユーザが興味を持つであろう観光地に関する記事を提供できる。
【００４０】
＜記事のダイジェストを表示する場合＞
図７は、ユーザの嗜好とマッチする記事Ｇ３、記事Ｇ４のダイジェストの表示を例示する概念図である。図７に示すように、表示装置１では、図３に例示したＳ１〜Ｓ３の処理が行われることで、新聞などの電子書籍における記事Ｇ１〜Ｇ４等の表示時間が表示時間情報１８２に記録される。
【００４１】
ここで、記事Ｇ２〜記事Ｇ４を含むページの表示時間が長く、特に記事Ｇ３、Ｇ４を拡大して表示していたものとする。この場合、表示装置１では、図３に例示したＳ４の処理が行われることで、記事Ｇ３、Ｇ４にかかるカテゴリと、記事Ｇ３、Ｇ４に含まれるタームとに関する表示時間が長く、ユーザの嗜好が強いことが判る。
【００４２】
したがって、図３に例示したＳ５の処理が行われることで、図７に示すように、記事Ｇ３、Ｇ４のタイトルや見出しを抽出したダイジェストが、ユーザの嗜好とマッチする記事のダイジェストとして表示部１７に表示される。このように、表示装置１では、ユーザの嗜好とマッチする記事Ｇ３、Ｇ４のダイジェストを表示することで、ユーザが興味を示すであろう記事への誘導を行うことができる。
【００４３】
なお、上述した広告、学習問題、観光地に関する記事、記事のダイジェストの表示については、サーバ３より配信された統計情報１８３をもとに行われてもよい。サーバ３より配信された統計情報１８３をもとに、ユーザが興味を示すであろうコンテンツの表示を行う場合は、複数のユーザがどのコンテンツをよく読んでいるかに応じて、広告、学習問題、観光地に関する記事、記事のダイジェストが表示されることとなる。
【００４４】
なお、上述した実施形態の表示装置１で実行されるプログラムは、ＲＯＭ等に予め組み込まれて提供される。実施形態の表示装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されてコンピュータプログラムプロダクトとして提供される。
【００４５】
さらに、実施形態の表示装置１で実行されるプログラムを、インターネット等のネットワークに接続されたコンピュータ上に格納し、ネットワーク経由でダウンロードさせることにより提供するように構成しても良い。また、実施形態の表示装置１で実行されるプログラムをインターネット等のネットワーク経由で提供または配布するように構成しても良い。
【００４６】
実施形態の表示装置１で実行されるプログラムは、上述した各部（記録部１０１、集計部１０２、表示制御部１０３）を含むモジュール構成となっており、実際のハードウェアとしてはＣＰＵ（プロセッサ）が上記ＲＯＭからプログラムを読み出して実行することにより上記各部が主記憶装置上にロードされ、各部が主記憶装置上に生成されるようになっている。
【００４７】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００４８】
１００…システム、１…表示装置、２…通信ネットワーク、３…サーバ、１０…ＣＰＵ、１１…ＲＯＭ、１２…ＲＡＭ、１３…操作入力部、１４…タッチパネル、１５…操作ボタン、１６…表示出力部、１７…表示部、１８…記憶部、１９…送受信部、２０…バス、１０１…記録部、１０２…集計部、１０３…表示制御部、１８１…コンテンツデータ、１８２…表示時間情報、１８３…統計情報、Ａ１〜Ａ３、Ｅ１，Ｅ２，Ｆ１，Ｇ１〜Ｇ４…記事、Ｂ１…広告、Ｃ１、Ｃ２…学習単元、Ｄ１…学習問題
【図１】
2012118705.tif 000003
【図２】
2012118705.tif 000004
【図３】
2012118705.tif 000005
【図４】
2012118705.tif 000006
【図５】
2012118705.tif 000007
【図６】
2012118705.tif 000008
【図７】
2012118705.tif 000009
【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
ユーザの操作を受け付ける操作手段と、
受け付けられた前記操作に応じたコンテンツページを表示する表示手段と、
表示中の前記コンテンツページに含まれる個々のコンテンツの表示時間を計測し、この計測した前記表示時間をコンテンツごとに記録する記録手段と、
前記コンテンツごとに記録された表示時間をもとに、ユーザの嗜好にかかる統計情報を集計する集計手段と、
予め記憶されているコンテンツの中から、集計された前記統計情報が示すユーザの嗜好とマッチするコンテンツを前記表示手段に表示させる表示制御手段と、
を備えることを特徴とする表示装置。
【請求項２】
前記記録手段は、表示中の前記コンテンツページに含まれる個々のコンテンツの中で、前記表示手段で拡大して表示されているコンテンツの表示時間を記録する、
請求項１に記載の表示装置。
【請求項３】
集計された前記統計情報を他の機器に送信する送信手段と、
前記他の機器から統計情報を受信する受信手段と、を更に備え、
前記表示制御手段は、受信された前記統計情報が示すユーザの嗜好とマッチするコンテンツを前記表示手段に表示させること、
を特徴とする請求項１又は２に記載の表示装置。
【請求項４】
前記集計手段は、前記コンテンツが属する属性ごとに、当該属性に属するコンテンツの表示時間を集計し、
前記表示制御手段は、集計された前記属性ごとの表示時間の中で、表示時間の長い属性に属するコンテンツを前記表示手段に表示させること、
を特徴とする請求項１乃至３のいずれか一項に記載の表示装置。
【請求項５】
前記記録手段は、表示中の前記コンテンツに含まれるタームを、前記コンテンツに関連するタームとして前記表示時間とともに記録し、
前記集計手段は、前記表示時間が記録されたコンテンツに関連するタームごとに、当該タームの表示時間を集計し、
前記表示制御手段は、集計された前記タームごとの表示時間の中で、表示時間の長いタームに関連するコンテンツを前記表示手段に表示させること、
を特徴とする請求項１乃至３のいずれか一項に記載の表示装置。
【請求項６】
前記表示制御手段は、予め記憶されている広告情報の中から、前記統計情報が示すユーザの嗜好とマッチする広告情報を前記表示手段に表示させること、
を特徴とする請求項１乃至５のいずれか一項に記載の表示装置。
【請求項７】
前記表示制御手段は、予め記憶されている学習問題の中から、前記統計情報が示すユーザの嗜好とマッチする学習問題を前記表示手段に表示させること、
を特徴とする請求項１乃至５のいずれか一項に記載の表示装置。
【請求項８】
前記表示制御手段は、予め記憶されている観光情報の中から、前記統計情報が示すユーザの嗜好とマッチする観光情報を前記表示手段に表示させること、
を特徴とする請求項１乃至５のいずれか一項に記載の表示装置。
【請求項９】
前記表示制御手段は、予め記憶されている記事の中から、前記統計情報が示すユーザの嗜好とマッチする記事のダイジェストを前記表示手段に表示させること、
を特徴とする請求項１乃至５のいずれか一項に記載の表示装置。
【請求項１０】
ユーザの操作を受け付ける操作手段、受け付けられた前記操作に応じたコンテンツページを表示する表示手段、記録手段、集計手段、表示制御手段を備える表示装置の表示方法であって、
前記記録手段が、表示中の前記コンテンツページに含まれる個々のコンテンツの表示時間を計測し、この計測した前記表示時間をコンテンツごとに記録するステップと、
前記集計手段が、前記コンテンツごとに記録された表示時間をもとに、ユーザの嗜好にかかる統計情報を集計するステップと、
前記表示制御手段が、予め記憶されているコンテンツの中から、集計された前記統計情報が示すユーザの嗜好とマッチするコンテンツを前記表示手段に表示させるステップと、
を含むことを特徴とする表示方法。
【手続補正２】
【補正対象書類名】明細書
【補正対象項目名】０００６
【補正方法】変更
【補正の内容】
【０００６】
上述した課題を解決し、目的を達成するために、実施形態の表示装置は、ユーザの操作を受け付ける操作手段と、受け付けられた前記操作に応じたコンテンツページを表示する表示手段と、表示中の前記コンテンツページに含まれる個々のコンテンツの表示時間を計測し、この計測した前記表示時間をコンテンツごとに記録する記録手段と、前記コンテンツごとに記録された表示時間をもとに、ユーザの嗜好にかかる統計情報を集計する集計手段と、予め記憶されているコンテンツの中から、集計された前記統計情報が示すユーザの嗜好とマッチするコンテンツを前記表示手段に表示させる表示制御手段と、を備えることを特徴とする。
【手続補正３】
【補正対象書類名】明細書
【補正対象項目名】０００７
【補正方法】変更
【補正の内容】
【０００７】
また、実施形態の表示方法は、ユーザの操作を受け付ける操作手段、受け付けられた前記操作に応じたコンテンツページを表示する表示手段、記録手段、集計手段、表示制御手段を備える表示装置の表示方法であって、前記記録手段が、表示中の前記コンテンツページに含まれる個々のコンテンツの表示時間を計測し、この計測した前記表示時間をコンテンツごとに記録するステップと、前記集計手段が、前記コンテンツごとに記録された表示時間をもとに、ユーザの嗜好にかかる統計情報を集計するステップと、前記表示制御手段が、予め記憶されているコンテンツの中から、集計された前記統計情報が示すユーザの嗜好とマッチするコンテンツを前記表示手段に表示させるステップと、を含むことを特徴とする。